【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
第１の無線ネットワークのデバイスによってサブネットワークを確立する方法であって、
第１の高速物理チャネルと第１の低速物理チャネルとを含む第１のチャネル以外の別のチャネルが利用可能であるか否かを探索することであって、前記第１の高速物理チャネルおよび前記第１の低速物理チャネルは調整器を含む前記第１の無線ネットワークにおいて現在使用され、第１の周波数帯内に存在する、ことと、
前記第１のチャネルから第２のチャネルに切り替えることであって、前記第２のチャネルは、第２の高速物理チャネルと第２の低速物理チャネルとを含み、前記第２の高速物理チャネルおよび前記第２の低速物理チャネルは、前記探索結果に基づく少なくとも１つの利用可能なチャネルの中の第２の周波数帯内に存在する、ことと、
前記第２の低速物理チャネル上でビーコンを放送するために前記第２のチャネル上に前記サブネットワークを確立することであって、前記調整器は、前記サブネットワークが前記第２のチャネル上に確立された後に、前記第１の無線ネットワークにおいて前記第１の低速物理チャネル上でビーコンを放送し続ける、ことと、
前記調整器から伝送されたビーコンと前記ビーコンに続く非予約領域とを受信するために、一定の期間の間、周期的に前記第１のチャネルに戻すことであって、前記デバイスは、前記サブネットワークにおいて少なくとも１つのデバイスと通信するために、前記ビーコンと前記非予約領域とを前記第１のチャネル上で受信した後に前記第２のチャネルに戻る、ことと
を含む、方法。
【請求項２】
前記サブネットワークの前記調整器によって放送された伝送されたビーコンは、前記サブネットワークが一時的に構成されていることを示す情報を含む、請求項１に記載の方法。
【請求項３】
前記第１の無線ネットワークの調整器に、前記第２の低速物理チャネルおよび前記第２の高速物理チャネルのインデックスを提供することをさらに含む、請求項１に記載の方法。
【請求項４】
前記第１のチャネルを前記第２のチャネルに切り替えるためのデバイスの識別情報を提供することをさらに含む、請求項１に記載の方法。
【請求項５】
前記第１の無線ネットワークの前記調整器が、前記チャネル切り替えを行うデバイスのリストを、前記第１の無線ネットワーク内のデバイスに通知する、請求項１に記載の方法。
【請求項６】
無線ネットワーク内で使用するデバイスであって、前記デバイスは、
第１の高速物理チャネルと第１の低速物理チャネルとを含む第１のチャネル以外の別のチャネルが利用可能であるか否かを探索することであって、前記第１の高速物理チャネルおよび前記第１の低速物理チャネルは調整器を含む第１の無線ネットワークにおいて現在使用され、第１の周波数帯内に存在する、ことと、
前記第１のチャネルから第２のチャネルに切り替えることであって、前記第２のチャネルは、第２の高速物理チャネルと第２の低速物理チャネルとを含み、前記第２の高速物理チャネルおよび前記第２の低速物理チャネルは、前記探索結果に基づく少なくとも１つの利用可能なチャネルの中の第２の周波数帯内に存在する、ことと、
前記第２のチャネル上に確立されたサブネットワークにおいて前記第２の低速物理チャネル上でビーコンを放送することであって、前記調整器は、前記サブネットワークが前記第２のチャネル上に確立された後に、前記第１の無線ネットワークにおいて前記第１の低速物理チャネル上でビーコンを放送し続ける、ことと、
前記調整器から伝送されたビーコンと前記ビーコンに続く非予約領域とを受信するために、一定の期間の間、周期的に前記第１のチャネルに戻すことであって、前記デバイスは、前記サブネットワークにおいて少なくとも１つのデバイスと通信するために、前記ビーコンと前記非予約領域とを前記第１のチャネル上で受信した後に前記第２のチャネルに戻る、ことと
を行うように構成される、デバイス。
【請求項７】
前記サブネットワークの前記調整器によって放送された伝送されたビーコンは、前記サブネットワークが一時的に構成されていることを示す情報を含む、請求項６に記載のデバイス。
【請求項８】
前記第１の無線ネットワークの調整器に、前記第２の低速物理チャネルおよび前記第２の高速物理チャネルのインデックスを提供することをさらに含む、請求項６に記載のデバイス。
【請求項９】
前記第１のチャネルを前記第２のチャネルに切り替えるためのデバイスの識別情報を提供することをさらに含む、請求項６に記載のデバイス。
【請求項１０】
前記第１の無線ネットワークの前記調整器が、前記チャネル切り替えを行うデバイスのリストを、前記第１の無線ネットワーク内のデバイスに通知する、請求項６に記載のデバイス。
【手続補正２】
【補正対象書類名】明細書
【補正対象項目名】００１４
【補正方法】変更
【補正の内容】
【００１４】
本発明の実施形態において、チャネル変更によって新しく形成された無線ネットワークの各デバイスは、従来の無線ネットワークの状況を把握していることが好ましい。このために、新しい無線ネットワークの各デバイスは、スーパーフレーム上の一定区間の間には従来の無線ネットワークに復帰する必要がある。特に、従来の無線ネットワークのビーコン転送区間または非予約区間には前記従来の無線ネットワークのチャネルを受信することが好ましい。
例えば、本発明は以下の項目を提供する。
（項目１）
第１調整器（ｃｏｏｒｄｉｎａｔｏｒ）と少なくとも一つのデバイスとを含んでなる無線ネットワークにおいて第１デバイスのチャネル変更方法であって、
上記無線ネットワークで使用中の第１チャネル以外の他のチャネルの使用可否を探索する段階と、
上記探索結果、使用可能な少なくとも一つのチャネルのうちの第２チャネルへと上記第１チャネルを変更する段階と、
上記第２チャネルで第２調整器として動作して第２ビーコンを転送する段階と、
上記第２チャネルを通じて第２デバイスにデータを転送したり、上記第２デバイスからデータを受信する段階と、
を含む、チャネル変更方法。
（項目２）
上記第１チャネルに復帰して上記第１調整器から転送される第１ビーコンを受信する段階をさらに含むことを特徴とする、項目１に記載のチャネル変更方法。
（項目３）
上記第１ビーコンに含まれたチャネル区間情報による所定時間区間に上記第１チャネルを受信することを特徴とする、項目２に記載のチャネル変更方法。
（項目４）
上記第２ビーコンは、上記第１ビーコンに含まれたチャネル区間情報に基づいて決定された上記第２チャネルにおけるチャネル区間情報を含むことを特徴とする、項目１に記載のチャネル変更方法。
（項目５）
上記第２ビーコンに含まれたチャネル区間情報によって区画されたデータ転送区間に上記第２チャネルを通じてデータを送受信することを特徴とする、項目４に記載のチャネル変更方法。
（項目６）
上記第２ビーコンは、上記第２チャネルが臨時に使われるチャネルであることを知らせる情報を含むことを特徴とする、項目１に記載のチャネル変更方法。
（項目７）
調整器を含んでなる無線ネットワークにおいて第１デバイスのチャネル変更方法であって、
上記無線ネットワークで使用中のチャネルでのチャネル資源割当要請に対して上記調整器から拒否応答を受信する段階と、
上記現在チャネル以外の他のチャネルの使用可否を探索する段階と、
上記調整器に使用可能な少なくとも一つのチャネルのうちの特定チャネルへのチャネル変更を要請する段階と、
上記調整器がチャネル変更を許諾した場合、上記特定チャネルにチャネルを変更する段階と、
を含む、チャネル変更方法。
（項目８）
上記特定チャネルを通じて第２無線ネットワークを生成する段階をさらに含むことを特徴とする、項目７に記載のチャネル変更方法。
（項目９）
上記第２無線ネットワーク生成段階は、
上記特定チャネルを通じてビーコンを転送する段階と、
上記ビーコンに含まれたチャネル区間情報により指示されるデータ転送区間にデータを送信または受信する段階と、
を含むことを特徴とする、項目８に記載のチャネル変更方法。
（項目１０）
上記調整器で上記第１デバイスが上記特定チャネルにチャネルを変更したことを登録することを特徴とする、項目７に記載のチャネル変更方法。
（項目１１）
第１チャネル及び第２チャネルを通じて通信を行なう第１無線ネットワークでの第１デバイスのチャネル変更方法であって、
チャネル変更のために上記第１チャネル及び第２チャネル以外の他のチャネルを探索する段階と、
上記探索結果によって選択された第３チャネル及び第４チャネルへとチャネルを変更する段階と、
上記第４チャネルを通じてビーコンを放送する段階と、
を含む、無線ネットワークにおけるチャネル変更方法。
（項目１２）
上記第４チャネルを通じて第２デバイスにデータを転送したり、上記第２デバイスからデータを受信する段階をさらに含むことを特徴とする、項目１１に記載の無線ネットワークにおけるチャネル変更方法。
（項目１３）
上記第３チャネルと第４チャネルは同一の周波数帯域内に位置することを特徴とする、項目１１に記載の無線ネットワークにおけるチャネル変更方法。
（項目１４）
上記第２チャネルに復帰して上記第１無線ネットワークの調整器から転送されるビーコンを受信する段階をさらに含むことを特徴とする、項目１１に記載の無線ネットワークにおけるチャネル変更方法。
（項目１５）
上記第１無線ネットワークの調整器から受信したビーコンに含まれたチャネル区間情報による所定時間区間に上記第１チャネルまたは第２チャネルを受信することを特徴とする、項目１４に記載の無線ネットワークにおけるチャネル変更方法。
（項目１６）
上記第４チャネルを通じて転送されるビーコンは、上記第３チャネル及び第４チャネルが臨時に使われるチャネルであることを知らせる情報を含むことを特徴とする、項目１１に記載の無線ネットワークにおけるチャネル変更方法。
（項目１７）
調整器を含んでなる第１無線ネットワークで使用中であり、同一の周波数帯域内に存在する第１高速物理チャネルと第１低速物理チャネルを含む第１チャネル以外の他のチャネルの使用可否を探索する段階と、
上記探索結果、使用可能な少なくとも一つのチャネルのうち、同一の周波数帯域内に存在する第２高速物理チャネルと第２低速物理チャネルを含む第２チャネルへとチャネルを変更する段階と、
上記第２チャネルグループを通じてサブネットワークを構成する段階と、
を含む、サブネットワーク構成方法。
（項目１８）
上記サブネットワーク構成段階は、
上記第２低速物理チャネルを通じてビーコンを転送する段階を含むことを特徴とする、項目１７に記載のサブネットワーク構成方法。
（項目１９）
上記第２低速物理チャネルに復帰して上記第１無線ネットワークの調整器から転送されるビーコンを受信する段階をさらに含むことを特徴とする、項目１７または１８に記載のサブネットワーク構成方法。
（項目２０）
上記第１無線ネットワークの調整器から転送されるビーコンに含まれたチャネル区間情報による所定時間区間に上記第１高速物理チャネルまたは第１低速物理チャネルを受信することを特徴とする、項目１７に記載のサブネットワーク構成方法。
（項目２１）
上記第２低速物理チャネルを通じて転送されるビーコンは、上記サブネットワークが臨時に構成されたネットワークであることを知らせる情報を含むことを特徴とする、項目１７に記載のサブネットワーク構成方法。